(57)【要約】【課題】折り返しの目印となり、また、折り返し位置が毎回同じで一義的に整然と決まり、不規則な折り目や嵩張りができず、着用中の動作によっても、折り返し部のずり上がりやずり下がり等を無くし、折り返し状態を常に整然と維持させることができ、着崩れしない折り返し部付き衣類を提供すること。【解決手段】折り返しによって長さを調節可能とされる筒状部２を備え、この筒状部２が経編地又は緯編地で構成されている衣類１において、前記筒状部２に編み糸密度の粗部５が前記筒状部２の周方向に沿って２列で細幅環状に形成されており、前記２列の編み糸密度の粗部５の間には、編み糸密度の密部６が形成されており、これら２列の編み糸密度の粗部５とその間の編み糸密度の密部６とで折り返し部７が形成されている。【選択図】図１
2010133036.tif 000002
【特許請求の範囲】
【請求項１】
折り返しによって長さを調節可能とされる筒状部を備え、この筒状部が経編地又は緯編地で構成されている衣類において、前記筒状部に編み糸密度の粗部が前記筒状部の周方向に沿って２列で細幅環状に形成されており、前記２列の編み糸密度の粗部の間には、編み糸密度の密部が形成されており、これら２列の編み糸密度の粗部とその間の編み糸密度の密部とで折り返し部が形成されていることを特徴とする折り返し部付き衣類。
【請求項２】
前記筒状部が経編地で構成されている場合では、該筒状部が弾性糸と非弾性糸とで編成されており、前記折り返し部における編み糸密度の粗部は、弾性糸なしで非弾性糸のみで編成された糸抜き編目部として形成されており、また、編み糸密度の密部は、弾性糸が挿入されて弾性糸と非弾性糸とで編成された正規編目部として形成されていることを特徴とする請求項１に記載の折り返し部付き衣類。
【請求項３】
前記２列の糸抜き編目部は、編目１つ分の幅で形成されており、その間の前記正規編目部は、編目１つ分〜複数編目分の幅で形成されていることを特徴とする請求項２に記載の折り返し部付き衣類。
【請求項４】
前記弾性糸は、前記非弾性糸よりも太い糸が使用されていることを特徴とする請求項２又は３に記載の折り返し部付き衣類。
【請求項５】
前記筒状部が緯編地で構成されている場合では、前記折り返し部における編み糸密度の粗部は、編み糸のループ長が筒状部の他の部分よりも長く編成された長ループ編目部として形成されており、また、編み糸密度の密部は、編み糸のループ長が筒状部の他の部分と同一として編成された正規ループ編目部として形成されていることを特徴とする請求項１に記載の折り返し部付き衣類。
【請求項６】
前記折り返し部が適用される衣類の筒状部は、ガードル類のウエスト部及び／又は裾口部、シャツ類の袖口部及び／又は裾口部及び／又はタートルネック部、パンツ類のウエスト部及び／又は裾口部、腹巻若しくはウエストニッパー類の胴部、靴下類の穿き口部の何れかであることを特徴とする請求項１〜５の何れかに記載の折り返し部付き衣類。
【発明の詳細な説明】
【技術分野】
【０００１】
本発明は、折り返すことによって長さを調節可能とされた筒状部を備えた折り返し部付き衣類に関するものである。
【背景技術】
【０００２】
従来、ウエスト部を広幅に形成してハイウエスト状態に伸ばして使用したり、又は、下方に折り返して通常のウエスト状態で使用したりできるようにしたマタニティショーツや、袖丈及び／又は脚丈を折り返して調節可能とした乳幼児服が公知である（例えば、特許文献１、２参照）。
【特許文献１】特許第３５７８３０９号公報
【特許文献２】特開平１０−９６１０６号公報
【発明の開示】
【発明が解決しようとする課題】
【０００３】
上記特許文献１のものでは、妊娠中期まではウエスト部を伸ばしてハイウエスト状態にして着用して下腹部の安定感と保温効果を付与し、妊娠後期には、ウエスト部を下方に折り返して着用して下腹部のサポート力を強くし、安定感と着脱容易性を付与するようにしているが、このウエスト部には、折り返しのための目印や折り返し状態を保持させるための工夫がされていない。そのため、折り返し位置及び折り返し状態が毎回変化し、整然とした折り返し状態で着用することができず、不自然な折り返しラインの状態、例えば、折り目が斜めになった状態で癖付けされること等が避けられない上、折り返し状態での着用中に、着用者の動作に伴って折り返し位置が上下方向に容易にずれ動き、着崩れ状態となる等の問題点があった。
【０００４】
また、特許文献２のものでも、折り返しを容易とし、その折り返し状態を安定して保持させるための工夫がされておらず、上記と同様な問題点があった。
本発明は、従来の上記問題点に鑑みて開発されたもので、その目的とするところは、折り返しの目印となり、また、折り返し位置が毎回同じで一義的に整然と決まり、不規則な折り目や嵩張りができず、着用中の動作によっても、折り返し部のずり上がりやずり下がり等を無くし、折り返し状態を常に整然と維持させることができ、着崩れしない折り返し部付き衣類を提供することにある。
【課題を解決するための手段】
【０００５】
前記目的を達成するために本発明は、折り返しによって長さを調節可能とされる筒状部を備え、この筒状部が経編地又は緯編地で構成されている衣類において、前記筒状部に編み糸密度の粗部が前記筒状部の周方向に沿って２列で細幅環状に形成されており、前記２列の編み糸密度の粗部の間には、編み糸密度の密部が形成されており、これら２列の編み糸密度の粗部とその間の編み糸密度の密部とで折り返し部が形成されていることを特徴としている。
この構成によれば、２列の編み糸密度の粗部が筒状部の他の部分とは異なる外観を呈することになる。これによって、２列の編み糸密度の粗部と、その間の編み糸密度の密部とが折り返し時の目印となる。また、２列の編み糸密度の粗部が筒状部のくびれ部分となり、筒状部の折り返しを容易化することができると共に、毎回、同じ位置で筒状部を整然と折り返すことができ、不規則な折り目や嵩張りができることを防止することができる。また、着用中の動作によっても、折り返し部のずり上がりやずり下がり等を無くし、折り返し状態を常に整然と維持させることができ、着崩れしない折り返し部付き衣類を提供することができる。なお、編み糸密度の粗部は、１列だけであると、折り返し状態が不安定となるが、２列で形成することにより、２列の間の編み糸密度の密部が折り目となり、この折り目が両側の編み糸密度の粗部で支持されることにより、折り返し状態を安定させることができる。
【０００６】
前記筒状部が経編地で構成されている場合では、該筒状部が弾性糸と非弾性糸とで編成されており、前記折り返し部における編み糸密度の粗部は、弾性糸なしで非弾性糸のみで編成された糸抜き編目部として形成されており、また、編み糸密度の密部は、弾性糸が挿入されて弾性糸と非弾性糸とで編成された正規編目部として形成されていることを特徴としている。
この構成によれば、２列の糸抜き編目部が筒状部の他の部分の編組織と異なる外観を呈することになる。これによって、２列の糸抜き編目部と、その間の正規編目部とが折り返し時の目印となる。また、２列の糸抜き編目部が筒状部のくびれ部分となり、筒状部の折り返しを容易化することができると共に、毎回、同じ位置で筒状部を整然と折り返すことができ、不規則な折り目や嵩張りができることを防止することができる。また、２列の糸抜き編目部を除いて筒状部が弾性糸と非弾性糸とで編成されているため、筒状部の編地に弾性が付与され、着用者へのフィット性及び着脱性を向上させることができる。しかも、着用中の動作によっても、折り返し部のずり上がりやずり下がり等を無くし、折り返し状態を常に整然と維持させることができ、着崩れしない折り返し部付き衣類を提供することができる。また、折り返し位置の目印は、筒状部を編成している２本の糸の一方を供給しないで他方の糸だけで編成させているため、容易に形成することができる。なお、糸抜き編目部は、１列だけであると、折り返し状態が不安定となるが、２列で形成することにより、２列の間の正規編目部が折り目となり、この折り目が両側の糸抜き編目部で支持されることにより、折り返し状態を安定させることができる。
【０００７】
前記２列の糸抜き編目部は、編目１つ分の幅で形成されており、その間の前記正規編目部は、編目１つ分〜複数編目分の幅で形成されていることが望ましい。
この構成によれば、筒状部を構成している編地の強度にそれほど悪影響を与えることなく折り返し位置の目安を体裁良く形成させることができる。しかも、２列の糸抜き編目部が正規編目部を間に挟んで形成されているため、折り返しを容易化することができ、その上、折り返し状態を安定して保持させることができ、着用中の動作に対するずれの防止作用を向上させることができる。また、正規編目部は、編目１つ分〜複数編目分の幅で形成すればよく、これを外れると折り曲げ状態が不安定となったり、強度低下等の問題がある。
【０００８】
また、前記弾性糸は、前記非弾性糸よりも太い糸が使用されているのが好ましい。
この構成によれば、筒状部の他の編組織に対する糸抜き編目部の外観上の違いが表現し易くなり、折り返し位置の目安を明瞭化できる。
また、前記筒状部が緯編地で構成されている場合では、前記折り返し部における編み糸密度の粗部は、編み糸のループ長が筒状部の他の部分よりも長く編成された長ループ編目部として形成されており、また、編み糸密度の密部は、編み糸のループ長が筒状部の他の部分と同一として編成された正規ループ編目部として形成されていることを特徴としている。
【０００９】
この構成によれば、２列の長ループ編目部が筒状部の他の部分の編組織と異なる外観を呈することになる。これによって、２列の長ループ編目部と、その間の正規ループ編目部とが折り返し時の目印となる。また、２列の長ループ編目部が筒状部のくびれ部分となり、筒状部の折り返しを容易化することができると共に、毎回、同じ位置で筒状部を整然と折り返すことができ、不規則な折り目や嵩張りができることを防止することができる。また、着用中の動作によっても、折り返し部のずり上がりやずり下がり等を無くし、折り返し状態を常に整然と維持させることができ、着崩れしない折り返し部付き衣類を提供することができる。また、折り返し部は、筒状部を編成している編み糸のループ長を変更させるだけで構成できるため、容易に形成することができる。なお、長ループ編目部は、１列だけであると、折り返し状態が不安定となるが、２列で形成することにより、２列の間の正規ループ編目部が折り目となり、この折り目が両側の長ループ編目部で支持されることにより、折り返し状態を安定させることができる。
【００１０】
さらに、前記折り返し部が適用される衣類の筒状部は、ガードル類のウエスト部及び／又は裾口部、シャツ類の袖口部及び／又は裾口部及び／又はタートルネック部、パンツ類のウエスト部及び／又は裾口部、腹巻若しくはウエストニッパー類の胴部、靴下類の穿き口部の何れにでも適用することができる。
この構成によれば、適用する衣類の筒状部について、前記した利点を得ることができる。
【発明の効果】
【００１１】
本発明によれば、折り返しの目印となり、また、折り返し位置が毎回同じで一義的に整然と決まり、不規則な折り目や嵩張りができず、着用中の動作によっても、折り返し部のずり上がりやずり下がり等を無くし、折り返し状態を常に整然と維持させることができ、着崩れしない折り返し部付き衣類を提供することができる。
【発明を実施するための最良の形態】
【００１２】
以下、本発明に係る実施形態を図面を参照して説明する。
図１（Ａ）は本発明を適用した衣類の筒状部の概略正面斜視図であり、（Ｂ）はその縦断側面図、（Ｃ）はその折り返し状態の縦断側面図であって、１は衣類、２は折り返しによって長さを調節可能とされる筒状部を示している。
この筒状部２は、経編地４Ａ又は緯編地４Ｂのいずれで構成されていてもよい。そして、この筒状部２には、編み糸密度の粗部５が筒状部２の周方向に沿って２列で細幅環状に形成されており、この２列の編み糸密度の粗部５の間には、編み糸密度の密部６が形成されており、これら２列の編み糸密度の粗部５とその間の編み糸密度の密部６とで折り返し部７が形成されている。
【００１３】
上記編み糸密度の密部６は、折り返し部７以外の他の部分における筒状部２の編み糸密度と同一とされている（これに限定されず、異ならせてもよい）。
筒状部２が経編地４Ａで構成されている場合では、この筒状部２は、後述するように、弾性糸３ａと非弾性糸３ｂとで編成されている（図４、図５参照）。
そして、この経編地４Ａにおける編み糸密度の粗部５は、弾性糸３ａなしで非弾性糸３ｂのみで編成された糸抜き編目部５ａとして、前記筒状部２の周方向に沿って２列で細幅環状に形成されている（図１参照）。そして、前記２列の糸抜き編目部５ａの間には、前記弾性糸３ａが挿入されて弾性糸３ａと非弾性糸３ｂとで編成された正規編目部６ａが前記筒状部２の周方向に沿って細幅環状に形成されている。これら２列の糸抜き編目部５ａとその間の正規編目部６ａとで折り返し部７が形成されている。この折り返し部７は、筒状部２の折り返し予定位置に、経編地４Ａの編成段階で形成される。
【００１４】
図２は本発明に使用する経編地４Ａの構成例を示す概略図であって、４個の製品用生地部４ａ〜４ｄを一連に経編で形成した場合を例示している。各製品用生地部４ａ〜４ｄ内には前記折り返し部７が２箇所に形成されており、各製品用生地部４ａ〜４ｄの境界にはヘム部４ｅが形成され、両端には、端生地部４ｆが形成されている。
図２の経編地４Ａは、例えば、次の構成からなっている。
糸種：ＮＹ５６−２４−セミダル
ＬＹ３１０−１２７クリアー
混率：ＮＹ７６．５％      ＬＹ２３．５％
組織：サテンネット
上記ＮＹ５６−２４−セミダルは、ＮＹ＝ナイロン糸（非弾性糸）で太さが５６デシテックス、フィラメント数が２４本、光沢がセミダル（やや暗色）を表しており、ＬＹ３１０−１２７クリアーは、ＬＹ＝オペロンテックス社のポリウレタン糸（弾性糸）の商品名で太さが３１０デシテックス、商品番号１２７で光沢がクリアー（明色）を表している。
【００１５】
前記経編地４Ａのヘム部４ｅは、上記とは別の糸が、各製品用生地部４ａ〜４ｄの境界の両側の編地の端部を繋ぎ止めるように編み込まれ、この糸が編地４の編成後に抜き取られることによって、各製品用生地部４ａ〜４ｄが相互に分離可能とされている。
各製品用生地部４ａ〜４ｄの折り返し部７付近は、図３に示すような糸配列で構成されている。即ち、図３の糸配列は、製品用生地部４ａ〜４ｄ及び正規編目部６ａでは、弾性糸３ａと非弾性糸３ｂとが１：１で配列されているが、糸抜き編目部５ａにおいては、弾性糸３ａが配列されず非弾性糸３ｂだけが配列されていることを表しており、○印は糸が配列されている状態、×印は糸が配列されていない状態（糸抜き状態）を表している。
【００１６】
従って、図３において、糸抜き編目部５ａは、弾性糸３ａが×印、非弾性糸３ｂが○印で表されている。そして、糸抜き編目部５ａは２列で形成され、その間に、正規編目部６ａが形成されている。
前記２列の糸抜き編目部５ａは、それぞれ編目１つ分の幅で形成されており、その間の正規編目部６ａは、編目２つ分の幅で形成されている。なお、正規編目部６ａは、編目１つ分〜複数編目分の幅で形成してもよい。
前記弾性糸３ａは、前記非弾性糸３ｂよりも太い糸を使用するのが好ましく、また、前記弾性糸３ａは、ポリウレタン糸とされ、前記非弾性糸３ｂは、ナイロン糸とされるのが好ましいが、これに制約されず、糸太さや糸種類は他の組み合わせとしてもよい。
【００１７】
図４及び図５は、図２の経編地４Ａの編組織の概略例図を示しており、図４がパワーネット組織の概略説明図であり、図５がサテンネット組織の概略説明図である。
図４において、黒点は編み針を表しており、編み針は格子状の交点位置に配置され、図４の左側に非弾性糸３ｂのみからなる糸抜き編目部５ａの編目組織が示されており、図４の右側に弾性糸３ａと非弾性糸３ｂとからなる製品用生地部４ａ〜４ｄの編目組織が示されており、正規編目部６ａも製品用生地部４ａ〜４ｄと同様な編目組織で編成される。
図５は、縦横の格子線の交点位置に編み針が配置され、その編み針に対して、非弾性糸３ｂの編目組織が図５の左側に示されており、弾性糸３ａの編目組織が図５の右側に示されている。この場合においても、製品用生地部４ａ〜４ｄ及び正規編目部６ａの編目組織は、図５の左側の非弾性糸３ｂの編目組織と右側の弾性糸３ａの編目組織とが重ね合わされた様な編み目組織で編成されるものであり、糸抜き編目部５ａの部分では、図５の左側の非弾性糸３ｂのみによる編目組織で編成される。
【００１８】
図４及び図５の組織は、６コースを１リピート単位として経編機で反復編成されるものである。
筒状部２が緯編地４Ｂで構成されている場合では、図６に示すように、編み糸密度の粗部５は、編み糸３ｃのループ長が筒状部２の他の部分よりも長く編成された長ループ編目部５ｂとして形成されており、また、編み糸密度の密部６は、編み糸のループ長が筒状部２の他の部分と同一として編成された正規ループ編目部６ｂとして形成されている。
緯編地４Ｂの場合、長ループ編目部５ｂは、筒状部２の折り返し部７となる予定位置に筒状部２の周方向に沿って２列で形成され、その間に、正規ループ編目部６ｂが形成されている。正規ループ編目部６ｂは、筒状部２の折り返し部７以外の他の部分と同一のループ長の編目組織で編成される。
【００１９】
長ループ編目部５ｂの編み糸のループ長さは、正規ループ編目部６ｂの編み糸のループ長に対して、１．５倍〜３倍の範囲とし、好ましくは、２倍程度とするのがよい。
２列の長ループ編目部５ｂの間に形成する正規ループ編目部６ｂは、編目にして１編目〜数編目とすればよく、図６は２編目とした場合を例示している。
緯編地４ｂの場合の編み糸は、特に制約されないものであって、弾性糸単独、又は、非弾性糸単独、或いは、弾性糸と非弾性糸との交編、その他、種々の編組織を採用することができる。
【００２０】
図７（Ａ）は、本発明をハイウエストで脚部の裾丈が５分丈のガードル１Ａに適用した場合であって、ウエストのくびれ部に折り返し部７を形成し、また、脚部の裾丈が３分丈となる位置に折り返し部７を形成したものであり、図７（Ｂ）は、図７（Ａ）のウエスト部を折り返し部７で折り返して通常のウエスト丈とし、脚部の折り返し部７を折り返して３分丈とした場合を表している。なお、脚部の折り返し部７は、省略してもよいし、折り返し部７の位置を他の位置に変更し、或いは、複数段に形成してもよい。
図８（Ａ）は、インナーシャツ１Ｂの袖部に折り返し部７を形成した場合を例示しており、この場合では、図８（Ｂ）に示すように、７分丈を５分丈に、或いは、５分丈を３分丈に折り返すようにした場合を例示している。この場合も、折り返し部７を袖部に複数段で形成してもよい。また、裾口部にも折り返し部７を形成してもよい。さらに、首周りがタートルネックタイプのシャツ類の場合では、タートルネック部に折り返し部７を１段〜複数段に亘って形成してもよい。
【００２１】
図９（Ａ）は、腹巻若しくはウエストニッパー１Ｃに折り返し部７を形成した場合を例示しており、図９（Ｂ）に示すように、折り返して使用可能とすることができる。
図示は省略したが、靴下類の穿き口部に同様な折り返し部７を形成させることもできる。このように、本発明は、ガードル類のウエスト部及び／又は裾口部、シャツ類の袖口部及び／又は裾口部及び／又はタートルネック部、パンツ類のウエスト部及び／又は裾口部、腹巻若しくはウエストニッパー類の胴部、靴下類の穿き口部等の筒状部の折り返し部に適用することができる。
【００２２】
本発明の実施形態は、以上の構成からなり、次に、その作用効果を説明する。
即ち、本発明における衣類の折り返し部７の構造は、折り返しによって長さを調節可能とされる筒状部２を備えた衣類１に適用され、この筒状部２が経編地４Ａ又は緯編地４Ｂのいずれで構成されていてもよい。
そして、筒状部２には、編み糸密度の粗部５が前記筒状部２の周方向に沿って２列で細幅環状に形成されており、前記２列の編み糸密度の粗部５の間には、編み糸密度の密部６が形成されており、これら２列の編み糸密度の粗部５とその間の編み糸密度の密部６とで折り返し部７が形成されているため、２列の編み糸密度の粗部５が筒状部２の他の部分とは異なる外観を呈することになる。これによって、２列の編み糸密度の粗部５と、その間の編み糸密度の密部６とが折り返し時の目印となる。また、２列の編み糸密度の粗部５が筒状部２のくびれ部分となり、筒状部２の折り返しを容易化することができると共に、毎回、同じ位置で筒状部２を整然と折り返すことができ、不規則な折り目や嵩張りができることを防止することができる。また、着用中の動作によっても、折り返し部７のずり上がりやずり下がり等を無くし、折り返し状態を常に整然と維持させることができ、着崩れしない衣類１の折り返し部７の構造を提供することができる。なお、編み糸密度の粗部５は、１列だけであると、折り返し状態が不安定となるが、２列で形成することにより、２列の間の編み糸密度の密部６が折り目となり、この折り目が両側の編み糸密度の粗部５で支持されることにより、折り返し状態を安定させることができる。
【００２３】
また、前記筒状部２が経編地４Ａで構成されている場合では、該筒状部２が弾性糸３ａと非弾性糸３ｂとで編成されており、前記折り返し部７における編み糸密度の粗部５は、弾性糸３ａなしで非弾性糸３ｂのみで編成された糸抜き編目部５ａとして形成されており、また、編み糸密度の密部６は、弾性糸３ａが挿入されて弾性糸３ａと非弾性糸３ｂとで編成された正規編目部６ａとして形成されているため、２列の糸抜き編目部５ａが筒状部２の他の部分の編組織と異なる外観を呈することになる。
これによって、２列の糸抜き編目部５ａと、その間の正規編目部６ｂとが折り返し時の目印となる。また、２列の糸抜き編目部５ａが筒状部２のくびれ部分となり、筒状部２の折り返しを容易化することができると共に、毎回、同じ位置で筒状部２を整然と折り返すことができ、不規則な折り目や嵩張りができることを防止することができる。
【００２４】
また、２列の糸抜き編目部５ａを除いて筒状部２が弾性糸３ａと非弾性糸３ｂとで編成されているため、筒状部２の編地４に弾性が付与され、着用者へのフィット性及び着脱性を向上させることができる。
しかも、着用中の動作によっても、折り返し部７のずり上がりやずり下がり等を無くし、折り返し状態を常に整然と維持させることができ、着崩れしない衣類１の折り返し部７の構造を提供することができる。
また、折り返し位置の目印は、筒状部２を編成している２本の糸３ａ、３ｂの一方３ａを供給しないで他方の糸３ｂだけで編成させているため、容易に形成することができる。なお、糸抜き編目部５ａは、１列だけであると、折り返し状態が不安定となるが、２列で形成することにより、２列の間の正規編目部６ｂが折り目となり、この折り目が両側の糸抜き編目部５ａで支持されることにより、折り返し状態を安定させることができる。
【００２５】
前記２列の糸抜き編目部５ａは、編目１つ分の幅で形成されており、その間の前記正規編目部６ｂは、編目１つ分〜複数編目分の幅で形成されていることにより、筒状部２を構成している編地４の強度にそれほど悪影響を与えることなく折り返し位置の目安を体裁良く形成させることができる。しかも、２列の糸抜き編目部５ａが正規編目部６ｂを間に挟んで形成されているため、折り返しを容易化することができ、その上、折り返し状態を安定して保持させることができ、着用中の動作に対するずれの防止作用を向上させることができる。また、正規編目部６ｂは、編目１つ分〜複数編目分の幅で形成すればよく、これを外れると折り曲げ状態が不安定となる。
【００２６】
また、前記弾性糸３ａは、前記非弾性糸３ｂよりも太い糸が使用されていることにより、筒状部２の他の編組織に対する糸抜き編目部５ａの外観上の違いが表現し易くなり、折り返し位置の目安を明瞭化できる。
そして、前記弾性糸３ａは、ポリウレタン糸とされ、前記非弾性糸３ｂは、ナイロン糸とすることにより、筒状部２をポリウレタン糸からなる弾性糸３ａとナイロン糸からなる非弾性糸３ｂとで編成して着用者へのフィット性及び着脱性を向上させつつ肌触りをソフト化することができると共に、糸抜き編目部５ａをナイロン糸の強度で維持させることができる。
【００２７】
また、前記筒状部２が緯編地４Ｂで構成されている場合では、前記折り返し部７における編み糸密度の粗部５は、編み糸のループ長が筒状部２の他の部分よりも長く編成された長ループ編目部５ｂとして形成されており、また、編み糸密度の密部６は、編み糸のループ長が筒状部２の他の部分と同一として編成された正規ループ編目部６ｂとして形成されていることによって、２列の長ループ編目部５ｂが筒状部２の他の部分の編組織と異なる外観を呈することになる。これによって、２列の長ループ編目部５ｂと、その間の正規ループ編目部６ｂとが折り返し時の目印となる。また、２列の長ループ編目部５ｂが筒状部２のくびれ部分となり、筒状部２の折り返しを容易化することができると共に、毎回、同じ位置で筒状部２を整然と折り返すことができ、不規則な折り目や嵩張りができることを防止することができる。また、着用中の動作によっても、折り返し部７のずり上がりやずり下がり等を無くし、折り返し状態を常に整然と維持させることができ、着崩れしない衣類１の折り返し部７の構造を提供することができる。また、折り返し部７は、筒状部２を編成している編み糸３ｃのループ長を変更させるだけで構成できるため、容易に形成することができる。なお、長ループ編目部５ｂは、１列だけであると、折り返し状態が不安定となるが、２列で形成することにより、２列の間の正規ループ編目部６ｂが折り目となり、この折り目が両側の長ループ編目部５ｂで支持されることにより、折り返し状態を安定させることができる。
【００２８】
さらに、前記折り返し部７が適用される衣類１の筒状部２は、ガードル１Ａ類のウエスト部及び／又は裾口部、シャツ１Ｂ類の袖口部及び／又は裾口部及び／又はタートルネック部、パンツ類のウエスト部及び／又は裾口部、腹巻若しくはウエストニッパー１Ｃ類の胴部、靴下類の穿き口部の何れにでも適用することができ、この構成によれば、適用する衣類１の筒状部２について、前記した利点を得ることができる。
本発明の実施形態は、以上からなるが、本発明は、これらの実施形態にのみ制約されるものではなく、特許請求の範囲に記載した範囲内で自由に変形して実施することができる。例えば、前記実施形態では、編み糸密度の密部６は、折り返し部７以外の他の部分における筒状部２の編み糸密度と同一とした場合を例示しているが、これに制約されず、異なる編み糸密度としてもよい。
【図面の簡単な説明】
【００２９】
【図１】（Ａ）は本発明を適用した衣類の筒状部の概略正面斜視図であり、（Ｂ）はその縦断側面図、（Ｃ）はその折り返し状態の縦断側面図である。
【図２】本発明に用いる経編地の構成例を示す概略図である。
【図３】図２の経編地の折り返し部の糸配列の説明図である。
【図４】本発明に適用される経編地の第１の編組織例の概略説明図である。
【図５】本発明に適用される経編地の第２の編組織例の概略説明図である。
【図６】本発明に適用される緯編地の編組織例の概略説明図である。
【図７】（Ａ）（Ｂ）は本発明をガードルに適用した第１実施形態の折り返し前後の概略正面図である。
【図８】（Ａ）（Ｂ）は本発明をインナーシャツに適用した第２実施形態の折り返し前後の概略正面図である。
【図９】（Ａ）（Ｂ）は本発明を腹巻若しくはウエストニッパーに適用した第３実施形態の折り返し前後の概略正面図である。
【符号の説明】
【００３０】
１    衣類
１Ａ    ガードル
１Ｂ    インナーシャツ
１Ｃ    腹巻若しくはウエストニッパー
２    筒状部
３ａ    弾性糸
３ｂ    非弾性糸
３ｃ    編み糸
４Ａ    経編地
４Ｂ    緯編地
４ａ〜４ｄ    製品用生地部
４ｅ    ヘム部
４ｆ    端生地部
５    編み糸密度の粗部
６    編み糸密度の密部
５ａ    糸抜き編目部
６ａ    正規編目部
５ｂ    長ループ編目部
６ｂ    正規ループ編目部
７    折り返し部
【図１】
2010133036.tif 000003
【図２】
2010133036.tif 000004
【図３】
2010133036.tif 000005
【図４】
2010133036.tif 000006
【図５】
2010133036.tif 000007
【図６】
2010133036.tif 000008
【図７】
2010133036.tif 000009
【図８】
2010133036.tif 000010
【図９】
2010133036.tif 000011